【手続補正書】
【提出日】平成15年12月12日(2003.12.12)
【手続補正１】
【補正対象書類名】特許請求の範囲
【補正対象項目名】全文
【補正方法】変更
【補正の内容】
【特許請求の範囲】
【請求項１】
複数の溝によりダンピングシューに連結された摩擦面を有する第１弧状部材と、
複数の溝によりダンピングシューに連結された摩擦面を有する第２弧状部材とを備え、
前記第１弧状部材と前記第２弧状部材が協働弧状面と係合され、
前記第１弧状部材と前記第２弧状部材がピボット係合し、これにより、第１移動方向において前記協働弧状面に働く力が、第２移動方向において前記協働弧状面に働く力と等しくない
ことを特徴とするダンピング機構。
【請求項２】
ベースと、
前記ベースにピボット係合されるレバーアームと、
前記レバーアームに枢着されるプーリと、
前記レバーアームに係合されるとともに前記ベースに係合されたダンピング機構と、
前記ダンピング機構と前記ベースに係合されるバイアス部材とを備え、
前記ダンピング機構が、第１ダンピング面を有する第１弧状部材と、第２ダンピング面を有する第２弧状部材とを備え、前記第１弧状部材と前記第２弧状部材が、前記ベースに設けられた協働面に摺動係合され、前記第１弧状部材と前記第２弧状部材がピボット係合し、これにより、前記第１弧状部材と前記第２弧状部材が、第１移動方向における前記レバーアームの運動に抵抗するとともに第２移動方向における前記レバーアームの運動に抵抗するために作用される力に等しくない力を作用し、
前記第１弧状部材が第１ダンピングシューを備え、
前記第２弧状部材が第２ダンピングシューを備え、
前記第１ダンピング面が、係合面に設けられた複数の垂直な協働部材により前記第１ダンピングシューに係合され、
前記ダンピング機構が非対称ダンピング係数を持つ
ことを特徴とするテンショナ。
【請求項３】
前記ピボット係合が、レバーアーム回転軸から径方向に配置されることを特徴とする請求項２に記載のテンショナ。
【請求項４】
前記非対称ダンピング係数が、約１．５から５の範囲にあることを特徴とする請求項２に記載のテンショナ。
【請求項５】
更に前記第２ダンピング面が、係合面に設けられた複数の垂直な協働部材により前記第２ダンピングシューに係合されることを特徴とする請求項２に記載のテンショナ。
【請求項６】
ベースと、
前記ベースにピボット係合されるレバーアームと、
前記レバーアームに枢着されるプーリと、
前記レバーアームに係合されるとともに前記ベースに係合されるレバーアーム運動ダンピング手段と、
第１ダンピング面を有する第１弧状部材と、
第２ダンピング面を有する第２弧状部材と、
前記レバーアーム運動ダンピング手段と前記ベースとに係合されるバイアス手段とを備え、
前記第１弧状部材と前記第２弧状部材が、前記ベースに設けられた協働面に摺動係合され、
前記第１弧状部材と前記第２弧状部材がピボット係合し、これにより、前記第１弧状部材と前記第２弧状部材が第１移動方向において、第２移動方向において作用されるダンピング力と等しくないダンピング力を作用し、
前記第１弧状部材が第１ダンピングシューを備え、
前記第２弧状部材が第２ダンピングシューを備え、
前記第１ダンピング面が、係合面に設けられた複数の協働部材により前記第１ダンピングシューに係合され、
前記レバーアーム運動ダンピング手段が非対称ダンピング係数を持つ
ことを特徴とするテンショナ。
【請求項７】
前記ピボット係合位置が、レバーアーム回転軸から径方向に配置されることを特徴とする請求項６に記載のテンショナ。
【請求項８】
前記非対称ダンピング係数が、約１．５から５の範囲にあることを特徴とする請求項６に記載のテンショナ。
【請求項９】
前記第２ダンピング面が、係合面に設けられた複数の協働部材により前記第２ダンピングシューに係合されることを特徴とする請求項６に記載のテンショナ。
【請求項１０】
前記バイアス手段がスプリングを含むことを特徴とする請求項９に記載のテンショナ。
【請求項１１】
ベースと、
前記ベースにピボット係合されるレバーアームと、
前記レバーアームに枢着されるプーリと、
前記レバーアームに係合されるとともに前記ベースに係合されたダンピング機構と、
前記ダンピング機構と前記ベースに係合されるバイアス部材とを備え、
前記ダンピング機構が、ダンピング面と、係合面に設けられた協働部材により係合されるダンピングシューとを備え、
前記ダンピング機構が非対称ダンピング係数を持つ
ことを特徴とするテンショナ。
【請求項１２】
前記ダンピング機構が更に、一対の反力が前記ダンピング機構に加えられるように、前記バイアス部材が２点でダンピング機構に係合するダンピング機構受容部を備えることを特徴とする請求項１１に記載のテンショナ。
【請求項１３】
前記非対称ダンピング係数が、約１．５から５の範囲にあることを特徴とする請求項１１に記載のテンショナ。
【請求項１４】
前記バイアス部材の一部を支持するための前記ダンピング機構に設けられた面を有することを特徴とする請求項１１に記載のテンショナ。
【請求項１５】
弧状形状を有するダンピングシューと、
前記ダンピングシューにロック機構により係合されるダンピングバンドとを備え、
前記ロック機構は、作動中に前記ダンピングバンドに加えられる摩擦力に抗する
ことを特徴とするダンピング機構。
【請求項１６】
更に、前記ダンピングバンドから延出し、前記ダンピングシューに設けられた窪み部に協働的に係合する突起部を備えることを特徴とする請求項１５に記載のダンピング機構。
【請求項１７】
更に、前記ダンピングバンドに設けられ、前記ダンピングシューに係合するリップ部を備えることを特徴とする請求項１５に記載のダンピング機構。
【請求項１８】
前記ダンピングシューが更に、スプリングコイルを支持するための面を有することを特徴とする請求項１６に記載のダンピング機構。
【請求項１９】
前記ダンピングシューが更に、スプリングと接触するための２つのスプリング接点を有するスプリング受容部を備えることを特徴とする請求項１６に記載のダンピング機構。
【請求項２０】
前記ロック機構が、溝と前記溝に協働するリブとを備えることを特徴とする請求項１６に記載のダンピング機構。
【請求項２１】
弧状形状を有する第２ダンピングシューと、
前記第２ダンピングシューに第２ロック機構により係合される第２ダンピングバンドとを備え、
前記第２ロック機構は、作動中に前記第２ダンピングバンドに加えられる摩擦力に抗する
ことを特徴とする請求項１５に記載のダンピング機構。
【請求項２２】
更に、前記第２ダンピングバンドから延出し、前記第２ダンピングシューに設けられた窪み部に協働的に係合する突起部を備えることを特徴とする請求項２１に記載のダンピング機構。
【請求項２３】
更に、前記第２ダンピングバンドに設けられ、前記第２ダンピングシューに係合するリップ部を備えることを特徴とする請求項２１に記載のダンピング機構。
【請求項２４】
接触端において前記ダンピングシューが前記第２ダンピングシューに係合し、
前記接触端が、レバーアーム回転軸から径方向に所定距離離れて配置されることにより、非対称ダンピング係数が得られる
ことを特徴とする請求項２１に記載のダンピング機構。
【請求項２５】
前記非対称ダンピング係数が約１．５から５の範囲にあることを特徴とする請求項２４に記載のダンピング機構。
【請求項２６】
前記ロック機構が、溝と前記溝に協働するリブとを備えることを特徴とする請求項２１に記載のダンピング機構。
【請求項２７】
ベースと、
前記ベースにピボット係合されるレバーアームと、
前記レバーアームに枢着されるプーリと、
前記レバーアームに係合されるとともに前記ベースに係合されたダンピング機構と、
前記レバーアームに係合されるとともに、前記ベースに摩擦係合されるダンピング機構とを備え、
前記ダンピング機構が、係合面に設けられた溝によりダンピングバンドに係合されるダンピングシューを備え、前記溝が作動中に前記ダンピングバンドに加えられる摩擦力に抗するように方向付けられており、
スプリングが前記ダンピングシューと前記ベースとに係合され、
前記ダンピング機構が非対称ダンピング係数を持つ
ことを特徴とするテンショナ。
【請求項２８】
前記ダンピングシューが更に、スプリング端部に接触する２つのスプリング接点を有するスプリング受容部を備え、これにより一対の反力が発生することを特徴とする請求項２７に記載のテンショナ。
【請求項２９】
前記ダンピング機構が更に、前記ダンピングバンドから延出し、前記ダンピングシューに設けられた窪み部に協働的に係合する突起部を備えることを特徴とする請求項２７に記載のテンショナ。
【請求項３０】
前記ダンピング機構が更に、前記ダンピングバンドに設けられ、前記ダンピングシューに係合するリップ部を備えることを特徴とする請求項２７に記載のテンショナ。
【請求項３１】
前記非対称ダンピング係数が、約１．５から５の範囲にあることを特徴とする請求項２７に記載のテンショナ。
【手続補正２】
【補正対象書類名】明細書
【補正対象項目名】００２２
【補正方法】変更
【補正の内容】
【００２２】
第２弧状部材のダンピングバンド２１５は、第１の部分のダンピングバンド２１３よりも厚い厚さ(material thickness)を持つ。これには２つの利点があり、第１に、スプリングの連結寸法を増大でき、より大きなスプリングを用いることができる。第２に、ダンピング機構の第２の部分２２０が、第１の部分２１０よりも大きな荷重を担うことから、第１ダンピングバンド２１３の厚さの低減は、両者の耐用年数を等しくする。